(57)【要約】      （修正有）【課題】扁平化が容易である可変入賞装置を備える遊技機を提供すること。【解決手段】遊技機は、取付穴１７が設けられた遊技盤３と、可変入賞装置とを備える。可変入賞装置は、遊技盤３の取付穴１７に通された状態で遊技盤に取り付けられ、遊技球Ｐの受入口２３及びその排出口を有する。排出口は、可変入賞装置が遊技盤３に取り付けられたとき、取付穴１７内に位置するように設けられている。【選択図】図１１
2008167906.tif 000002
【特許請求の範囲】
【請求項１】
取付穴が設けられた遊技盤と、
前記遊技盤の前記取付穴に通された状態で前記遊技盤に取り付けられた、遊技球の受入口及び排出口を有する可変入賞装置であって、
前記排出口が前記取付穴内に位置するように設けられている可変入賞装置とを備える
ことを特徴とする遊技機。
【請求項２】
前記排出口にこれを通過する遊技球を検知するためのセンサが取り付けられている
ことを特徴とする、請求項１に記載の遊技機。
【請求項３】
前記遊技盤は、前記可変入賞装置が前記遊技盤に取り付けられたとき、前記排出口の下方に連なるアウト口を有し、また前記遊技盤は、前記排出口を経て前記アウト口に落下する遊技球の衝突を受け、該遊技球の進路の変更をもたらす突起を有する
ことを特徴とする、請求項２に記載の遊技機。
【請求項４】
前記排出口はほぼ円形の平面形状を有し、また前記突起は前記遊技球に対する衝突領域を有し、該衝突領域は、前記排出口の周壁面の延長からその半径方向内方に前記排出口の直径と前記遊技球の直径との差より大きい距離に位置し、かつ、前記排出口からその軸線方向下方に前記遊技球の半径より大きい距離に位置する、
ことを特徴とする、請求項３に記載の遊技機。
【発明の詳細な説明】
【技術分野】
【０００１】
本発明は、遊技機に関する。
【背景技術】
【０００２】
遊技機に適用される可変入賞装置は、その内部に遊技球を受け入れるための受入口と、受け入れられた遊技球（入賞球）をその外部に排出するための排出口とを備える。また、前記可変入賞装置はその受入口を開閉する板状のゲートを備え、前記ゲートの開閉により前記受入口からの遊技球の受入が許容され、又は拒絶される。さらに、前記可変入賞装置は、その内部に受け入れられた遊技球をその受入口からその排出口へ導くための傾斜面を備える（特許文献１参照）。
【特許文献１】特開２００５−３２９０４３号公報（段落番号０００９〜００１１、図３及び４参照）
【０００３】
ここで、図１５に示す従来の他の遊技機２０１を参照すると、遊技機２０１は、遊技盤２０３と、遊技盤２０３の前面に設けられ湾曲して伸びるレール２０５とを備え、レール２０５に取り囲まれた遊技領域のほぼ中央部に図柄を表示するための液晶表示器のような可変表示装置２０７が配置され、その下方に可変入賞装置２０９が配置されている。
【０００４】
図１６及び図１７に示すように、可変入賞装置２０９は、前記したような遊技球２１１の受入口２１３とその排出口２１５とを備え、また受入口２１３を開閉するためのゲート２１７を備える。受入口２１３のゲート２１７は、遊技盤２０３の前記遊技領域に設けられた入賞口への遊技球２１１の飛入を契機として、又、可変表示装置２０７の図柄の組み合わせに応じて開けられ、所定時間の経過又は所定数の遊技球２１１が受入口２１３に受け入れられることを条件として閉じられる。遊技球２１１は遊技機２０１の下端部から発射され、レール２０５の案内作用を受けて前記遊技領域に至り、該遊技領域を落下する。落下の間、遊技球２１１は前記入賞口又は可変入賞装置２０９内にその受入口２１３から受け入れられ、あるいは受け入れられることなく、最下端部に設けられたアウト口２１９に至る。
【０００５】
遊技球２１１が可変入賞装置２０９内に受け入れられるとき、前記遊技領域を落下する遊技球２１１は、開いた状態のゲート２１７の後面が規定する傾斜面２２１上に受け止められ、この上を受入口２１３に向けて転がり落ちる。次いで、遊技球２１１は、可変入賞装置２０９の内部すなわち受入口２１３の内方に設けられた第１の傾斜面２２３上及び第２の傾斜面２２５上を順次に転がり落ちた後、排出口２１５に至り、これを経て可変入賞装置２０９の外部に落下する（図１６及び図１７に示す矢印参照）。
【０００６】
図１７に示すように、可変入賞装置２０９は、遊技盤２０３に設けられた取付穴２２７に通された状態で遊技盤２０３に取り付けられ、その取付状態で見て、その排出口２１５が遊技盤２０３の後方に位置する。第２の傾斜面２２５は、ゲート２１７上からその後方に位置する排出口２１５までの遊技球２１１の移動のため、これらの間の橋渡しとして、設けられている。
【０００７】
ところで、再び図１５を参照すると、今日の遊技機２０１においては、可変表示装置２０７の画面がより大きい画面を有する表示装置２２８へと拡大される傾向にある。画面の拡大により、大きい表示装置２２８の下縁２２９は、これまでの小さい可変表示装置２０７の下縁２３１より下方のレベルに位置し、これに伴い、可変入賞装置２０９が配置されるスペースがＤ１からこれより小さいＤ２へと低減する。その結果、可変入賞装置２０９についてその扁平化、より詳細には可変入賞装置２０９の上下方向寸法の低減が求められるようになってきた。
【０００８】
前記従来の可変入賞装置２０９にあっては、第２の傾斜面２２５を設ける必要があり、そのためには第２の傾斜面２２５の配置空間を確保する必要があり、この空間確保の必要性から、その扁平化を図るのに限界があった。
【発明の開示】
【発明が解決しようとする課題】
【０００９】
本発明の目的は、扁平化が容易である可変入賞装置を備える遊技機を提供することにある。
【課題を解決するための手段】
【００１０】
（請求項１に記載の発明）
請求項１に記載の発明は、遊技機に係り、取付穴が設けられた遊技盤と、前記遊技盤の前記取付穴に通された状態で前記遊技盤に取り付けられた、遊技球の受入口及び排出口を有する可変入賞装置であって前記排出口が前記取付穴内に位置するように設けられている可変入賞装置とを備えることを特徴とする。
【００１１】
請求項１に記載の発明によれば、遊技球の受入口及びその下方に位置する排出口を有する可変入賞装置の前記排出口が、前記可変入賞装置が遊技盤に取り付けられた状態で見て、前記取付穴内に位置するように設けられていることから、前記受入口を経て前記可変入賞装置内に受け入れられた遊技球の前記排出口への移動は、前記遊技盤をその厚さ方向に横切ることなく、前記遊技盤の取付穴内すなわちその厚さ内で行われる。このため、前記遊技盤をその厚さ方向へ移動させるために必要とされた傾斜面を設ける必要がなく、その分、前記可変入賞装置の扁平化が可能である。
【００１２】
また、請求項１に記載の発明によれば、前記傾斜面が存しないため、前記受入口から前記排出口までの前記遊技球の移動経路を短くすることができる。このため、この間に一列に並び得る遊技球の数量を少なくすることができ、これにより、予め定められた数量を超えて前記可変入賞装置内に余分に入る遊技球の数量を少なくすることができる。さらに、前記遊技球の移動経路の短縮により簡素化されため、前記移動経路中における球詰まりの発生機会を少なくすることができる。さらに、部品の数量が減少することから、前記可変入賞装置の構造をより簡素にすることができる。
【００１３】
（請求項２に記載の発明）
請求項２に記載の発明は、請求項１に記載の発明の構成を備えた上で、前記排出口にこれを通過する遊技球を検知するためのセンサが取り付けられていることを特徴とする。
【００１４】
請求項２に記載の発明によれば、前記排出口の前記遊技球の通過の有無をセンサによって検出することができる。
【００１５】
（請求項３に記載の発明）
請求項３に記載の発明は、請求項２に記載の発明の構成を備えた上で、前記遊技盤は、前記可変入賞装置が前記遊技盤に取り付けられたとき、前記排出口の下方に連なるアウト口を有し、また前記遊技盤は、前記排出口を経て前記アウト口に落下する遊技球の衝突を受け、該遊技球の進路の変更をもたらす突起を有することを特徴とする。
【００１６】
請求項３に記載の発明によれば、前記排出口を経て前記アウト口に落下する遊技球は、前記遊技盤上を落下してそのアウト口を通過する他の遊技球に衝突する可能性があるところ、前記排出口を経て前記アウト口に落下する遊技球は、落下の途中、前記遊技盤に設けられた突起に衝突し、その進路の変更を受けることから、これが前記他の遊技球に当たったとき、その落下経路を逆方向に跳ね返ることが防止され、これにより前記センサの誤作動を回避することができる。
【００１７】
（請求項４に記載の発明）
請求項４に記載の発明は、請求項３に記載の発明の構成を備えた上で、前記排出口はほぼ円形の平面形状を有し、また前記突起は前記遊技球に対する衝突領域を有し、該衝突領域は、前記排出口の周壁面の延長からその半径方向内方に前記排出口の直径と前記遊技球の直径との差より大きい距離に位置し、かつ、前記排出口からその軸線方向下方に前記遊技球の半径より大きい距離に位置することを特徴とする。
【００１８】
請求項４に記載の発明によれば、前記突起が有する前記遊技球に対する衝突領域について、前記排出口の周壁面の延長からその半径方向内方に前記排出口の直径と前記遊技球の直径との差より大きい距離にあることとしたから、前記排出口を出た前記遊技球は前記突起に必ず衝突し、また前記排出口からその軸線方向下方に前記遊技球の半径より大きい距離にあることとしたことから、前記排出口を出た遊技球が前記排出口と前記突起とに挟まれ、ここに停滞することを防止することができる。
【発明の効果】
【００１９】
本発明によれば、従来に比べて、より扁平な可変入賞装置を含む遊技機を提供することができる。
【発明を実施するための最良の形態】
【００２０】
図１及び図２を参照すると、本発明に係る遊技機の代表的な例であるパチンコ機１が、その一部をなす外枠、ガラス枠、釘等の図示を省略した態様で示されている。
【００２１】
パチンコ機１は、全体に矩形状を呈する遊技盤３と、遊技盤３に取り付けられた可変入賞装置５とを備える。
【００２２】
遊技盤３にはその前面に弧状を呈する２つのレール７が取り付けられ、両レール７によってほぼ円形の遊技領域９が形成されている。遊技領域９のほぼ中央部には液晶表示器からなる可変表示装置１１が配置されている。可変表示装置１１は、例えば液晶表示装置、７セグメントＬＥＤ、ドットマトリクス表示装置、モータの回転により可変表示するドラム等であり、複数の数字や図柄等からなる演出図柄を変動表示する。可変表示装置１１の下方には可変表示装置１１を始動させるパチンコ球（遊技球）を受け入れる、いわゆる電動チューリップを有する始動入賞口１３が配置されている。可変入賞装置５は始動入賞口１３の直下に配置されている。遊技領域９の最下方には、入賞口等のいずれにも入賞しなかった遊技球を回収するためのアウト口１５が設けられている。
【００２３】
可変表示装置１１は、始動入賞口１３へのパチンコ球の受入を契機として、文字、図形、記号等の種々の図柄を表示するように作動し、可変入賞装置５は、可変表示装置１１の図柄が例えば所定の組み合わせに一致するとき、これを契機として、多数のパチンコ球を受け入れるように作動する。
【００２４】
可変入賞装置５は、図３〜図８に示すように、その本体をなす裏箱１９と、該裏箱の前面に固定されたベース（台板）２１とを備える。
【００２５】
図２に示すように、裏箱１９はその一部が遊技盤３の取付穴１７を貫通し、残りの一部が取付穴１７から遊技盤３の後面の側すなわち裏側に位置し、遊技盤３の前面に接するベース２１を介して、遊技盤３に取り付けられる。これにより、可変入賞装置５は、遊技盤３の取付穴１７に通された状態で遊技盤３に取り付けられる。
【００２６】
図５に示すように、裏箱１９はパチンコ球（遊技球）Ｐ（図３）を受け入れるための受入口２３を規定する開放前面を有する。他方、ベースは矩形状の開口２５を有する。ベース２１は、裏箱１９に対して、その開口２５が裏箱１９の前記開放前面に相対するように配置され、取り付けられている。このため、開口２５が、実質的に、パチンコ球Ｐの受入口２３を規定している。
【００２７】
裏箱１９は、パチンコ球Ｐを受け入れ可能である受入空間２７を有する。裏箱１９の受入口２３を経てその受入空間２７内に受け入れられたパチンコ球Ｐは、排出口２９（図７）を通して受入空間２７の外部に排出される。排出口２９は、裏箱１９の底壁３１（図３）に設けられている。実際には、排出口２９は、底壁３１上に配置されたセンサ（入賞検出スイッチ）３３に設けられたほぼ円形の穴３５（図３）により規定されている。穴３５は、底壁３１の上面及び下面に開放している。
【００２８】
排出口２９すなわちセンサ３３の穴３５は、裏箱１９が遊技盤３に取り付けられたとき、
遊技盤３の取付穴１７内、すなわち遊技盤３の板厚内に位置するように設けられている（図１１参照）。
【００２９】
従来の可変入賞装置では、これが遊技盤３に取り付けられた状態で見て、パチンコ球の排出口が取付穴１７の外側すなわち遊技盤３の後ろ側に位置する。このため、パチンコ球は、遊技盤３を厚さ方向に横切ってその受入口からその排出口へ移動されなければならず、この移動のために傾斜した案内面を必要とした。本発明に掛かる実施の態様にあっては、受入口２３すなわちベース２１の開口２５を経て裏箱１９の受入空間２７内に受け入れられた遊技球Ｐの穴３５への移動は、遊技盤３の取付穴１７内において行われる。このことから、従来における案内傾斜面を必要とせず、前記案内傾斜面の設置を省略することができるため、裏箱１９（したがって可変入賞装置５）の上下方向に関する長さ寸法である厚さ寸法を小さいものとすることができる。
【００３０】
裏箱１９には、その底壁３１上に、遊技盤３の取付穴１７内におけるベース２１の開口２５（受入口２３）からセンサ３３の穴３５（排出口２９）へのパチンコ球Ｐの案内のための傾斜面３７が設けられている。傾斜面３７は、センサ３３の穴３５に向けてパチンコ球が一列に流下できるように下方に傾斜しており、傾斜面３７の下端と底壁３１との間には段差が存する。段差は、開放状態にあるゲート３９から飛入したパチンコ球と、傾斜面３７上のパチンコ球とがセンサの穴３５に流下するとき、それらの球の間で球噛みを起こすことを防止するために設けられている。本例では、ゲート３９から飛入した球が優先されるように、傾斜面３７の下流端部よりゲート３９の下流端部の方が低くなるように設けられている。もちろん、傾斜面３７の下流端部の方が低くなるようにしてもよく、要は球噛みを防ぐように構成すればよい。なお、傾斜面３７についても取付穴１７内、すなわち遊技盤３の板厚内に位置するように設けられている。すなわち、裏箱１９における受入空間２７全体が、遊技盤３の板厚内に設けられている。
【００３１】
可変入賞装置５は、さらに、ベース２１の開口２５を開閉するための板状のゲート３９を有する。
【００３２】
ゲート３９は一対の枢軸４１（図５、図７）を介して該枢軸の周りに回転可能にベース２１に支承されており、ベース２１の開口２５内と、開口２５外との間で枢動可能である。ゲート３９が開口２５内に位置する状態（図６及び図１２に示す状態）にあるとき、開口２５は閉じられ、該開口を通しての裏箱１９の受入空間２７へのパチンコ球Ｐの飛入が禁止される。
【００３３】
他方、ゲート３９が開口２５外へ枢動され、開かれた状態（図３及び図１１に示す状態）にあるとき、開口２５は開放される。図１１に示すように、ゲート３９が開かれた状態にあるとき、ゲート３９はその内側の面（後面）上に、遊技盤３上を落下するパチンコ球Ｐを受け止めることができ、また受け止めたパチンコ球Ｐを裏箱１９の受入空間２７に案内する傾斜面４３を規定する。ゲート３９の傾斜面４３には、傾斜面４３上を裏箱１９の受入口２３に向けて転動するパチンコ球Ｐを受入空間２７の傾斜面３７上に導く２つの突起４５が設けられている。なお、センサ３３の穴３５側に設けられている突起４５は、運動変換機構のレバー５７及び爪５９を防護すると共に、その部分での球の停留を防止するためにも、必要なものとなる。
【００３４】
可変入賞装置５には、ゲート３９を枢動させるための手段として、ソレノイド４７と、該ソレノイドの直線的往復運動をゲート３９の枢動運動に変換するための運動変換機構とが設けられている。
【００３５】
ソレノイド４７は、板金４９を介して裏箱１９に支持されている（図３及び図７参照）。ソレノイド４７は、本体５１とロッド部５３とを備え、ロッド部５３の周囲にはこれを取り巻く圧縮可能のコイルばね５５が配置されている。
【００３６】
他方、前記運動変換機構は、ソレノイド４７のロッド部５３に枢着された板状のレバー５７と、ゲート３９に設けられた板状の爪５９とからなる（図５及び図７参照）。図７〜図１０に示すように、レバー５７は、互いに間隔をおいて配置された上下一対の先端部６１，６３を有し、軸押さえ６５を介して、裏箱１９に支持されている。レバー５７は、ソレノイドのロッド部５３の下方位置において、ピン６７を介して、該ピンの周りに揺動可能であるように軸押え６５に支承されている。レバー５７の先端部６１，６３は、それぞれ、レバー５７がピン６７の周りに揺動されるとき、ゲート３９の爪５９に引掛かり可能である。
【００３７】
図９に示すように、ソレノイド４７を作動させると、コイルばね５５からその伸張傾向のばね力を受けているロッド部５３が伸張動作する。これに伴い、レバー５７が図上においてピン６７の周りに反時計方向に回転する。これにより、レバー５７の上方の先端部６１がゲート３９の爪５９に上方から下方に向けて引掛かる。その結果、ゲート３９がその枢軸４１の周りに時計方向に揺動する。揺動により、ゲート３９がベース２１の開口２５内に収まるとき、爪５９がベース２１の後面に当接する。これにより、ゲート３９の揺動が停止される。
【００３８】
反対に、図１０に示すように、ソレノイド４７を反対方向に作動させてロッド部５３を収縮動作させ、かつコイルばね５５を膨張状態から圧縮状態に変化させると、レバー５７がピン６７の周りに時計方向に回転する。これにより、レバー５７の下方の先端部６３がゲート３９の爪５９に下方から上方に向けて引掛かる。その結果、ゲート３９がその枢軸４１の周りに反時計方向に揺動する。揺動により、ゲート３９がベース２１の開口２５外に開くとき、ベース２１に爪５９と相対する反対の側に設けられたストッパ６９が裏箱１９の一部７１（図７参照）に当接する。これにより、ゲート３９の揺動が停止され、ゲート３９は所定の角度に開いた状態に維持される。
【００３９】
図３に示すように、可変入賞装置５の裏箱１９の後部には、始動入賞口１３（図１参照）に入って、これから落下するパチンコ球の通過を許し、これを検知するための、前記したセンサ３３と同様のセンサ７３が取り付けられている。
【００４０】
さらに、裏箱１９の後方に、裏箱１９の受入空間２７をその装飾のために照らす複数（図示の例では３つ）の発光ダイオード（ＬＥＤ）７５が配置されている（図７、図８及び図１１参照）。発光ダイオード７５は電飾基板７７に支持され、横一列に並んでいる。ソレノイド４７を裏箱１９に支持する板金４９には、発光ダイオード７５が発した光を通すための３つの穴７９が３つの発光ダイオード７５に対応して設けられている。
【００４１】
図７において、符号８１は、発光ダイオード７５が発した光を拡散させるための拡散レンズを示す。拡散レンズ８１は、裏箱１９の後面に固定されている。電飾基板７７は、箱状の基板ケース８３内に収容され、基板ケース８３は裏箱１９の後部に固定されている。発光ダイオード７５から出た光は、板金４９の穴７９を通過した後、拡散レンズ８１を経て拡散され、裏箱１９を照らす。裏箱１９は、これを照らす発光ダイオード７５の光を通すように、透明なプラスチック材料で形成されている。なお、符号８４は、中継基板を示す。
【００４２】
図１１に示すように、ゲート３９上に受け止められたパチンコ球Ｐは、ゲート３９の傾斜面４３上を両突起４５間においてベース２１の開口２５に向けて転動する。転動の間にパチンコ球Ｐはベース２１の開口２５を通過し、裏箱１９の受入空間２７に入る。次いで、パチンコ球Ｐは、傾斜面４３から受入空間２７内の傾斜面３７上に落下する。傾斜面３７上に落下したパチンコ球Ｐは、傾斜面３７上をその下端に向けて転動した後、傾斜面３７の下端からセンサ３３の穴３５に落下する。パチンコ球Ｐはセンサ３３の穴３５を通過するとき、センサ３３により検知される。この検知により、可変入賞装置１に受け入れられた、すなわち入賞したパチンコ球の数が別途計数される。その後、パチンコ球Ｐは取付穴１７内すなわち遊技盤３の板厚内をアウト口１５に向けて落下する。
【００４３】
ところで、パチンコ球Ｐがアウト口１５に落下したとき、アウト口１５を遊技盤３の板厚方向へ横断して移動する他のパチンコ球、すなわちいずれの入賞口にも入賞せずにアウト口１５に流下してきた他のパチンコ球に衝突し、衝突によりセンサ３３の近傍にまで跳ね返ることがあり、このとき、センサ３３が、跳ね返ったパチンコ球Ｐを、センサ３３の穴３５を通過したパチンコ球であると誤って検知することがある。
【００４４】
このセンサ３３の誤作動である誤検知を防止するため、遊技盤３に突起８５（図１２〜図１４）が設けられている。突起８５は、センサ３３の穴３５を経て落下するパチンコ球Ｐの衝突を受けて、パチンコ球Ｐの進路の変更をもたらす。
【００４５】
図１３に示すように、突起８５はセンサ３３の穴３５の下方にパチンコ球Ｐに対する衝突部位（衝突領域）８６を有する。より詳細には、衝突部位（衝突領域）８６は、センサの穴３５の直径をＤとしかつパチンコ球Ｐの直径をｄとしたとき（Ｄ＞ｄ）、次の２つの条件を満足する位置にある。第１の条件は、衝突部位８６の位置が、穴３５の周壁面の延長から穴３５の半径方向内方へ距離（Ｄ−ｄ）より大きい距離Ｇにあることである。この条件が満たされると、パチンコ球Ｐの落下経路内に突起８５の衝突部位８６が突出することとなるため、パチンコ球Ｐは落下するとき衝突部位８６に必ず衝突する。また、第２の条件は、衝突部位８６の位置が、穴３５からその軸線方向下方に距離ｄ/２（パチンコ球Ｐの半径）より大きい距離Ｌにあることである。この条件が満たされると、突起８５の衝突部位８６が穴３５の下方にパチンコ球Ｐの半径の大きさを超えて位置することとなるため、パチンコ球Ｐが突起８５の衝突部位８６に衝突したとき、パチンコ球Ｐは衝突部位８６とセンサ３３との間に挟まってここに留まることが防止される。
【００４６】
センサ３３の穴３５を経て真直ぐに落下するパチンコ球Ｐが突起８５の衝突部位８６に衝突すると、その落下方向が矢印８７の方向に変化する。その結果、パチンコ球Ｐがアウト口１５において他のパチンコ球に当たったとき、パチンコ球Ｐはセンサ３３の穴３５以外の方向に跳ね返る。これにより、パチンコ球Ｐがセンサ３３に近接することによって生じるセンサ３３の誤検知が防止される。
【００４７】
なお、突起８５は、可変入賞装置５のための取付穴１７の輪郭の一部を規定する。また、図１２において、符号８８は、可変表示装置１１（図１）を遊技盤３に取り付ける際に可変表示装置１１を通すための遊技盤３に設けられた取付穴を示し、符号８９は、始動入賞口１３を含む装置（図１）を遊技盤３に取り付ける際にこれを通すための遊技盤３に設けられた取付穴を示す。図示の例では、この取付穴８９と取付穴１７とは相互に連通している。
【図面の簡単な説明】
【００４８】
【図１】本発明に係るパチンコ機（遊技機）の一部を省略した正面図である。
【図２】図１の線Ａ−Ａに沿って得た縦断面図である。
【図３】ゲートが開いた状態の可変入賞装置の前方から見た斜視図である。
【図４】図３に示す可変入賞装置の後方から見た斜視図である。
【図５】図３に示す可変入賞装置をその裏箱からベースを取り外した状態で見た、図３に示すと同様の斜視図である。
【図６】ゲートが閉じた状態の可変入賞装置の前方から見た斜視図である。
【図７】可変入賞装置の前方から見た分解斜視図である。
【図８】可変入賞装置の後方から見た分解斜視図である。
【図９】ゲートを開閉するためのソレノイド及び運動変換機構を示す、ゲートが閉じた状態にあるときの側面図である。
【図１０】ゲートを開閉するためのソレノイド及び運動変換機構を示す、ゲートが開いた状態にあるときの側面図である。
【図１１】図３の線Ｂ−Ｂに沿って得た縦断面図である。
【図１２】可変入賞装置が取り付けられた遊技盤の正面図である。
【図１３】図１２に示す可変入賞装置の拡大図である。
【図１４】図１２に示す遊技盤の底面図である。
【図１５】従来のパチンコ機を示す正面図である。
【図１６】従来の可変入賞装置の前方から見た斜視図である。
【図１７】図１６に示す可変入賞装置の縦断面図である。
【符号の説明】
【００４９】
１    パチンコ機（遊技機）
３    遊技盤
５    可変入賞装置
７    レール
９    遊技領域
１１    可変表示装置
１３    始動入賞口
１５    アウト口
１７    取付穴
２３    受入口
２９    排出口
３３    センサ
３５    センサに設けられた穴
３７    傾斜面
３９    ゲート
Ｐ      パチンコ球（遊技球）
【図１】
2008167906.tif 000003
【図２】
2008167906.tif 000004
【図３】
2008167906.tif 000005
【図４】
2008167906.tif 000006
【図５】
2008167906.tif 000007
【図６】
2008167906.tif 000008
【図７】
2008167906.tif 000009
【図８】
2008167906.tif 000010
【図９】
2008167906.tif 000011
【図１０】
2008167906.tif 000012
【図１１】
2008167906.tif 000013
【図１２】
2008167906.tif 000014
【図１３】
2008167906.tif 000015
【図１４】
2008167906.tif 000016
【図１５】
2008167906.tif 000017
【図１６】
2008167906.tif 000018
【図１７】
2008167906.tif 000019